(57)【要約】【課題】  地震発生時にも可動天井部材とダウンライトが互いに干渉しない免震建築用エレベータの可動乗場装置を得る。【解決手段】  乗降通路７の固定天井部材を構成し、昇降路出入口１７側の端部に傾斜面３１が形成された天井基部側板体２１と、乗降通路の可動天井部材を構成し、天井基部側板体２１の下面に重合する天井昇降路側板体２６と、天井昇降路側板体の上方部に設けられ、照明器具が収納された照明装置本体３２と、照明装置本体の基部出入口１６側に形成され、天井基部側板体の昇降路出入口側の端部に形成された傾斜面に対向する傾斜面３３と、照明装置本体と固定部との間を連結する連結する連結具３５とを備え、地震発生時に、照明装置本体を天井昇降路側板体の上下方向に押し上げ又は押し下げて取り外す。【選択図】    図３
2006225105.tif 000002
【特許請求の範囲】
【請求項１】
基部建築体に免震装置を介して免震建築体が支持され、かつ基部建築体及び免震建築体に昇降路が形成され、この昇降路及び建築体の間に乗降通路が設けられ、この乗降通路の建築体側に基部出入口が設けられ、かつ乗降通路の昇降路側に昇降路出入口が設けられた免震建物用エレベータの乗場装置において、
前記乗降通路の固定天井部材を構成し、昇降路出入口側の端部に傾斜面が形成された天井基部側板体と、
前記乗降通路の可動天井部材を構成し、前記天井基部側板体の下面に重合する天井昇降路側板体と、
前記天井昇降路側板体の上方部に設けられ、照明器具が収納された照明装置本体と、
前記照明装置本体の基部出入口側に形成され、前記天井基部側板体の昇降路出入口側の端部に形成された傾斜面に対向する傾斜面と、
前記照明装置本体と固定部との間を連結する連結する連結具とを備え、
地震発生時に、固定天井部材である前記天井基部側板体と可動天井部材である前記天井昇降路側板体が相対変位し、前記両傾斜面同士が当ることにより、前記照明装置本体を前記天井昇降路側板体の上下方向に押し上げ又は押し下げて取り外すことを特徴とする免震建物用エレベータの可動乗場装置。
【請求項２】
照明装置本体は、天井昇降路側板体の開口部を通して乗降通路側に落下されて、連結具により吊り下げられることを特徴とする請求項１記載の免震建物用エレベータの可動乗場装置。
【請求項３】
照明装置本体は、天井昇降路側板体の上方の固定部側に持ち上げられ、連結具により引っ張られることを特徴とする請求項１記載の免震建物用エレベータの可動乗場装置。
【発明の詳細な説明】
【技術分野】
【０００１】
この発明は、基部建築体に免震装置を介して免震建築体が支持され、また基部建築体及び免震建築体に昇降路が形成され、この昇降路及び建築体の間に乗降通路が設けられた免震建築用エレベータの可動乗場装置に関するものである。
【背景技術】
【０００２】
従来の免震建築用エレベータの乗場装置において、基部建築体に免震装置を介して支持された免震建築体と、免震建築体に形成されて基部建築体に嵌合状態に配置された昇降路とが設けられ、建築体と昇降路との間に乗降通路が配置される。すなわち、昇降路に設けられて乗降通路の一側を形成する昇降路出入口が配置され、また基部建築体に設けられて昇降路出入口に対向して配置されて乗降通路の他側を形成する基部出入口が装備される。
【０００３】
そして、基部建築体の基部出入口と昇降路の昇降路出入口の間に設けられた乗降通路の内面に乗降方向に直交した突出面がなく、乗客が余計な注意を払うことなく容易に乗降通路を通行できる免震建築用エレベータの乗場装置が知られている（例えば、特許文献１参照）。
【０００４】
【特許文献１】特開２００４−１７５４９３号公報
【発明の開示】
【発明が解決しようとする課題】
【０００５】
従来の免震建築用エレベータの乗場装置では、地震時に基部建築体及び昇降路の両者が相対変位した場合に、乗降通路を構成した基部側板体及び昇降路側板体が相対変位して上記両者の相対変位に対応する。そして、この乗降通路の可動天井部には、乗降通路を照らすための照明用ダウンライトが設けられた構造となっている。したがって、地震時に可動天井が動作して縮んだ際に、可動天井部材とダウンライトが干渉して、正規の可動ストロークが得られなくなったり、或いはダウンライトや可動天井部材を破壊してしまうという問題点があった。
【０００６】
この発明は、かかる問題点を解消するためになされたものであり、地震発生時に乗降通路の可動天井が縮んでも、可動天井部材とダウンライトが干渉し、正規の可動ストロークが得られなくなったり、或いはダウンライトや可動天井部材が破壊されることがない免震建築用エレベータの可動乗場装置を提供するものである。
【課題を解決するための手段】
【０００７】
この発明に係る免震建築用エレベータの可動乗場装置においては、基部建築体に免震装置を介して免震建築体が支持され、かつ基部建築体及び免震建築体に昇降路が形成され、この昇降路及び建築体の間に乗降通路が設けられ、この乗降通路の建築体側に基部出入口が設けられ、かつ乗降通路の昇降路側に昇降路出入口が設けられたものにおいて、乗降通路の固定天井部材を構成し、昇降路出入口側の端部に傾斜面が形成された天井基部側板体と、乗降通路の可動天井部材を構成し、天井基部側板体の下面に重合する天井昇降路側板体と、天井昇降路側板体の上方部に設けられ、照明器具が収納された照明装置本体と、照明装置本体の基部出入口側に形成され、天井基部側板体の昇降路出入口側の端部に形成された傾斜面に対向する傾斜面と、照明装置本体と固定部との間を連結する連結具とを備え、地震発生時に、固定天井部材である天井基部側板体と可動天井部材である天井昇降路側板体が相対変位し、両傾斜面同士が当ることにより、照明装置本体を天井昇降路側板体の上下方向に押し上げ又は押し下げて取り外すようにしたものである。
【０００８】
また、照明装置本体は、天井昇降路側板体の開口部を通して乗降通路側に落下されて、連結具により吊り下げられるものである。
【０００９】
また、照明装置本体は、天井昇降路側板体の上方の固定部側に持ち上げられ、連結具により引っ張られるものである。
【発明の効果】
【００１０】
この発明は、地震発生時に、固定天井部材である天井基部側板体と可動天井部材である天井昇降路側板体が相対変位し、両傾斜面同士が当ることにより、照明装置本体を天井昇降路側板体の上下方向に押し上げ又は押し下げて取り外すようにしたので、可動天井部材とダウンライトが干渉して、正規の可動ストロークが得られなくなったり、或いはダウンライトや可動天井部材を破壊してしまうことがなくなる。
【発明を実施するための最良の形態】
【００１１】
実施の形態１．
図１は免震建築用エレベータを概念的に示す縦断面図、図２は図１の免震建築用エレベータの地震時の状況を説明する図、図３はこの発明の実施の形態１における免震建築用エレベータの可動乗場装置を示す側面図、図４は地震時に可動天井がダウンライトに当接した状態を示す図３相当図、図５は地震時にダウンライトが落下した状態を示す図３相当図、図６〜図８は地震時に可動天井がダウンライトに当接してからダウンライトが落下するまでの状況を段階的に示す要部拡大図である。
【００１２】
図１〜図６において、大地１に基部建築体２が建設され、基部建築体２の上の免震装置３により免震建築体４が支持される。そして、基部建築体２及び免震建築体４に縦通した昇降路５が設けられ、昇降路５における基部建築体２の上部から免震建築体４の下部の間にわたって複数の可動昇降路枠６が互いに離れて配置される。また、基部建築体２と可動昇降路枠６の間に乗降通路７が設けられる。
【００１３】
そして、昇降路５に立設されて可動昇降路枠６に連結されたかご用案内レール８に昇降路５を昇降するかご９が案内され、また昇降路５に立設されて可動昇降路枠６に連結されたつり合おもり用案内レール１０に昇降路５を昇降するつり合おもり１１が案内される。
【００１４】
また、免震建築体４の上部に機械室１２が設けられて巻上機１３が設置され、それの駆動綱車に主索１４が巻掛けられて一端にかご９が他端につり合おもり１１が吊持される。そして、昇降路５の底面にかご９、つり合おもり１１のそれぞれに対向して緩衝器１５が立設される。
【００１５】
そして、基部建築体２に基部出入口１６が設けられ、また昇降路５に昇降路出入口１７が設けられ、昇降路出入口１７を開閉する乗場の戸１８、昇降路出入口１７の下縁部に乗場の戸１８の下端を案内する敷居１９が設けられている。また、基部出入口１６と昇降路出入口１７の間に乗降通路７が設けられている。基部出入口１６の下縁部に配置され、昇降路出入口１７に向かって突設された床板からなる床板基部側板体２０が設けられる。    
【００１６】
また、基部出入口１６の上縁部に配置され昇降路出入口１７に向かって突設された天井基部側板体２１が設けられる。また基部出入口１６の側縁部に配置され、昇降路出入口１７に向かって突設された壁板基部側板体２２が設けられる。そして、昇降路出入口１７の下縁部に床板昇降路側板体２３が配置され、一側が水平軸線２４を介して枢着され、他側は基部出入口１６寄りに配置されて床板基部側板体２０の上面に重合し、先端部が下方に傾斜した傾斜面２５が形成される。
【００１７】
また、昇降路出入口１７の上縁部に天井昇降路側板体２６が配置され、一側が水平軸線２７を介して枢着され、他側は基部出入口１６寄りに配置されて天井基部側板体２１の下面に重合し、先端部に先端が上方に傾斜した傾斜面２８が形成される。そして、昇降路出入口１７の側縁部に壁板昇降路側板体２９が配置され、基部出入口１６寄りに配置されて床板基部側板体２０の乗降通路７における内面に重合し、先端部に先端が壁板基部側板体２２に接近する方向に傾斜した傾斜面３０が形成される。
【００１８】
この発明においては、乗降通路７の固定天井部材を構成する天井基部側板体２１の昇降路出入口１７側の先端部に、先端が上方に傾斜した傾斜面３１を形成したものである。また、乗降通路７の可動天井部材を構成する天井昇降路側板体２６の上方部に、ダウンライト等からなる照明器具が収納された照明装置本体３２を設けたものである。そして、このダウンライトからの光は天井昇降路側板体２６の開口部を通して乗降通路７内を照射する。更にまた、上記照明装置本体３２の基部出入口１６側に、上記天井基部側板体２１の昇降路出入口１７側の先端部の傾斜面３１に対向する傾斜面３３を形成したことが特徴である。なお、３４は照明装置本体３２から出ている電気配線、３５は照明装置本体３２と、例えば昇降路５壁等の固定部との間を連結する紐、鎖等からなる連結具で、照明装置本体３２が落下した時に、途中で吊り下げることにより、乗客が通行する乗降通路７の床面に落下しないように考慮されている。３６は照明装置本体３２の下部周縁に設けられた板バネクリップで、天井昇降路側板体２６の開口部に弾性的に取り付けるためのものである。
【００１９】
これにより、通常は、図３に示すように、天井基部側板体２１の昇降路出入口１７側の先端部の傾斜面３１と、この傾斜面に対向する照明装置本体３２の傾斜面３３は、互いに離れた離間位置にある。しかし、地震発生時には、先ず、図４及び図６に示すように、天井基部側板体２１の昇降路出入口１７側の先端部の傾斜面３１と、この傾斜面に対向する照明装置本体３２の傾斜面３３が接近して当接する。次に、図７に示すように、天井基部側板体２１の昇降路出入口１７側の先端部の傾斜面３１が、この傾斜面に対向する照明装置本体３２の傾斜面３３に当って、板バネクリップ３６の保持力に抗して照明装置本体３２を下方に押し下げる。更には、図５及び図７に示すように、ダウンライトを収納した照明装置本体３２を天井昇降路側板体２６の開口部を通して乗降通路７側に落下させ、照明装置本体３２は連結具３５にて吊り下げられた状態で止まる。
【００２０】
上記のように構成された免震建物用エレベータの可動乗場装置においては、常時、すなわち可動天井部材の変形がない状態では図３に示すように、ダウンライトを収納した照明装置本体３２が定位置に配置されており、地震発生時には、図５に示すように、ダウンライトを収納した照明装置本体３２を天井昇降路側板体２６の開口部を通して乗降通路７側に落下させ、照明装置本体３２は連結具３５にて吊り下げられた状態で止まる。これにより、可動天井部材とダウンライトが干渉して、正規の可動ストロークが得られなくなったり、或いはダウンライトや可動天井部材を破壊してしまうことがなくなる。
【００２１】
実施の形態２．
図９はこの発明の実施の形態２における免震建築用エレベータの可動乗場装置を示す側面図、図１０は地震時に可動天井がダウンライトに当接した状態を示す図９相当図、図１１は地震時にダウンライトが上方に押し上げられた状態を示す図９相当図である。
【００２２】
この実施の形態２においては、乗降通路７の固定天井部材を構成する天井基部側板体２１の昇降路出入口１７側の先端部に、先端が後上方に傾斜した傾斜面３１ａを形成したものである。また、乗降通路７の可動天井部材を構成する天井昇降路側板体２６の上方部に、ダウンライト等からなる照明器具が収納された照明装置本体３２を設けた点、そして、このダウンライトからの光は天井昇降路側板体２６の開口部を通して乗降通路７内を照射する点は実施の形態１と同様である。上記照明装置本体３２の基部出入口１６側に、上記天井基部側板体２１の昇降路出入口１７側の先端部の傾斜面３１ａに対向する傾斜面３３ａを形成したものである。なお、３４は照明装置本体３２から出ている電気配線、３７は照明装置本体３２と、例えば基部建築体２壁等の固定部との間を連結するスプリング等からなる連結用伸縮部材で、照明装置本体３２が上方に押し上げられた時に、その収縮力で照明装置本体３２を可動天井部材の上方に引っ張り込むことにより、乗客が通行する乗降通路７側に落下しないように考慮されている。また、図示していないが、実施の形態１と同様に、照明装置本体３２の下部周縁には板バネクリップが設けられ、天井昇降路側板体２６の開口部に弾性的に取り付けられる。
【００２３】
これにより、通常は、図９に示すように、天井基部側板体２１の昇降路出入口１７側の先端部の傾斜面３１ａと、この傾斜面に対向する照明装置本体３２の傾斜面３３ａは、互いに離れた離間位置にある。しかし、地震発生時には、先ず、図１０に示すように、天井基部側板体２１の昇降路出入口１７側の先端部の傾斜面３１ａと、この傾斜面に対向する照明装置本体３２の傾斜面３３ａが接近して当接する。次に、図１１に示すように、天井基部側板体２１の昇降路出入口１７側の先端部の傾斜面３１ａが、この傾斜面に対向する照明装置本体３２の傾斜面３３ａに当って、板バネクリップの保持力に抗して照明装置本体３２を上方に押し上げ、ダウンライトを収納した照明装置本体３２をスプリング等からなる伸縮部材３７の収縮力によって基部建築体２壁側に引っ張り込むことになる。これにより、乗客が通行する乗降通路７側に照明装置本体３２が障害物として突出することがなくなる。
【００２４】
上記のように構成された免震建物用エレベータの可動乗場装置においては、常時、すなわち可動天井部材の変形がない状態では図９に示すように、ダウンライトを収納した照明装置本体３２が定位置に配置されており、地震発生時には、図１１に示すように、ダウンライトを収納した照明装置本体３２をスプリング等からなる伸縮部材３７の収縮力によって基部建築体２壁側に引っ張り込む。これにより、可動天井部材とダウンライトが干渉して、正規の可動ストロークが得られなくなったり、或いはダウンライトや可動天井部材を破壊してしまうことがなく、乗客が通行する乗降通路７側に照明装置本体３２が障害物として突出することがなくなる。
【図面の簡単な説明】
【００２５】
【図１】免震建物用エレベータを概念的に示す縦断面図である。
【図２】図１の免震建物用エレベータの地震時の状況を説明する図である。
【図３】この発明の実施の形態１における免震建物用エレベータの可動乗場装置を示す側面図である。
【図４】地震時に可動天井がダウンライトに当接した状態を示す図３相当図である。
【図５】地震時にダウンライトが落下した状態を示す図３相当図である。
【図６】地震時に可動天井がダウンライトに当接した状態を示す要部拡大図である。
【図７】地震時に可動天井がダウンライトに当接しダウンライトを落下させる途中の状態を示す要部拡大図である。
【図８】地震時にダウンライトが落下した状態を示す要部拡大図である。
【図９】この発明の実施の形態２における免震建物用エレベータの可動乗場装置を示す側面図である。
【図１０】地震時に可動天井がダウンライトに当接した状態を示す図９相当図である。
【図１１】地震時にダウンライトが上方に押し上げられた状態を示す図９相当図である。
【符号の説明】
【００２６】
１  大地
２  基部建築体
３  免震装置
４  免震建築体
５  昇降路
６  可動昇降路枠
７  乗降通路  
８  かご用案内レール  
９  かご  
１０  つり合おもり用案内レール
１１  つり合おもり
１２  機械室  
１３  巻上機  
１４  主索
１５  緩衝器
１６  基部出入口
１７  昇降路出入口
１８  乗場の戸
１９  敷居
２０  床板基部側板体
２１  天井基部側板体
２２  壁板基部側板体  
２３  床板昇降路側板体  
２４  水平軸線  
２５  傾斜面
２６  天井昇降路側板体  
２７  水平軸線  
２８  傾斜面
２９  壁板昇降路側板体  
３０  傾斜面  
３１、３１ａ  傾斜面
３２  照明装置本体
３３、３３ａ  傾斜面  
３４  電気配線
３５  連結具
３６  板バネクリップ
３７  連結用伸縮部材
【図１】
2006225105.tif 000003
【図２】
2006225105.tif 000004
【図３】
2006225105.tif 000005
【図４】
2006225105.tif 000006
【図５】
2006225105.tif 000007
【図６】
2006225105.tif 000008
【図７】
2006225105.tif 000009
【図８】
2006225105.tif 000010
【図９】
2006225105.tif 000011
【図１０】
2006225105.tif 000012
【図１１】
2006225105.tif 000013